(57)【要約】【課題】容器の天面以外の部位に情報表示ラベルが貼り付けられる部位を設けて食品包装容器を構成し、包装された食品とラベルに表示された情報をともに見やすくする。【解決手段】底部１１の周囲に側壁１２を立ち上げて底部上を収納凹部１３としてなる食品包装容器１を、側壁１２の上端に、下方へ傾斜しつつ側方へ突出していて上面にラベルなどの表示体２を貼り付け可能な大きさの表示体貼り付け面部１４を設けて構成する。収納凹部１３に食品を収納し、容器全体をラップフィルム３で包み、表示体２をラップフィルム３の上から表示体貼り付け面部１４に重ねて貼り付け、容器を陳列棚に陳列する。【選択図】図１
0003130990.tif 000002
【実用新案登録請求の範囲】
【請求項１】
底部の周囲に側壁を立ち上げて底部上を収納凹部としてなる食品包装容器において、
側壁の上端から下方へ傾斜しつつ側方へ突出していて上面に情報表示ラベルなどの表示体を貼り付けることが可能な大きさの表示体貼り付け面部を有することを特徴とする食品包装容器。
【請求項２】
底部の周囲に側壁を立ち上げて底部上を収納凹部としてなる容器本体と、容器本体の上面に被さる透明な蓋体からなる食品包装容器において、
容器本体の側壁外面に情報表示ラベルなどの表示体を貼り付けることが可能な大きさの表示体貼り付け面部を設けたことを特徴とする食品包装容器。
【請求項３】
容器本体の側壁上端に下方へ傾斜しつつ側方へ張り出したフランジ状縁部を設け、フランジ状縁部の上面を表示体貼り付け面部としたことを特徴とする請求項２に記載の食品包装容器。
【請求項４】
底部の周囲に側壁を立ち上げて底部上を収納凹部とするとともに側壁上端に下方へ傾斜しつつ側方へ張り出したフランジ状縁部を設けてなる容器本体と、容器本体の上面に被さる透明な蓋体からなる食品包装容器において、
容器本体に蓋体を被せたときに前記フランジ状縁部に重なる蓋体の外面に、情報表示ラベルなどの表示体を貼り付けることが可能な大きさの表示体貼り付け面部を設けたことを特徴とする食品包装容器。
【請求項５】
容器本体は、底部が平面視矩形に形成され、底部から立ち上げた四辺の側壁のうちの一辺の側壁にフランジ状縁部を設けたことを特徴とする請求項３又は４に記載の食品包装容器。
【請求項６】
容器本体の側壁が、底部から立ち上げた内側壁と、内側壁の上端で下方へ折れた外側壁からなることを特徴とする請求項２〜５の何れかに記載の食品包装容器。
【請求項７】
表示体貼り付け面部は、少なくとも長手幅６０ｍｍ、短手幅３０ｍｍの大きさで帯状に形成されていることを特徴とする請求項１〜６の何れかに記載の食品包装容器。
【請求項８】
食品包装容器をラップフィルムで覆った状態で、表示体貼り付け面部に重なったラップフィルム表面に表示体を貼り付けることを特徴とする請求項１〜７の何れかに記載の食品包装容器。
【考案の詳細な説明】
【技術分野】
【０００１】
本考案は、スーパーマーケットやコンビニエンスストアの食品売り場などで陳列し販売される、生鮮食料品や加工食品、惣菜、弁当その他各種食品の包装に用いられるプラスチック製の食品包装容器に関する。
【背景技術】
【０００２】
スーパーマーケットなどで販売される魚の切り身などの生鮮食料品は、皿状の容器に入れてラップフィルムで包装し、フィルムの天面に販売価格と原材料名、内容量、賞味期限などの加工食品品質表示を表示したプライスラベルを貼り付けて売り場の陳列棚に並べられている。
【０００３】
また、持ち帰り用のすしや弁当、惣菜類は、図７に示されるように、プラスチック製の容器１００に入れて透明な蓋１０１をその上に被せ、粘着テープで蓋１０１を容器１００に固定し或いはラップフィルム１０２で容器１００と蓋１０１を包み、ラップフィルム１０２の上から蓋１０１の天面に前記プライスラベル１０３を貼り付けて陳列棚に並べられている。
さらに、包装した食品の調理方法や容器を開封する際の注意事項、或いはキャンペーンなどの宣伝広告といった情報をお客に通知する場合は、これらの情報を表示したフィルムやラベル１０４を蓋１０１の天面に貼り付けるようにしている（例えば特許文献１参照）。
【０００４】
【特許文献１】実用新案登録第３０７３２５６号公報
【考案の開示】
【考案が解決しようとする課題】
【０００５】
陳列された多数の食品の中からお客が購入する食品を選ぶ決め手となるのは、新鮮そうに見えたりおいしそうに見えたりする、容器に入れられた食品の見栄えである。
しかし、従来の包装容器では、ラップフィルムや蓋の天面にプライスラベルや情報表示ラベルが貼られるため、せっかく食品が新鮮でおいしそうに容器に盛り付けてあっても、これらラベルが食品を遮って見えなくしていた。
【０００６】
また、加工食品品質表示は、前記の如く販売価格とともにプライスラベルに一括表示する表示形式が普及しつつある。
しかし、容器の天面内のプライスラベルの貼り付け位置は、食品販売事業者や食品の種類、容器の形状などによって様々で統一されておらず、食品を包装した容器を陳列棚に並べた状態でプライスラベルの貼り付け位置が曲がっていて、ラベルの表示が見難くなることもあった。
また、弁当などの積み重ねが可能な容器の場合、包装作業場で配送コンテナ内に容器を多段に積み重ねて収納し、これを売り場に移送してコンテナ内の容器を陳列棚に移し替えているが、この際、容器が積み重なった状態では下段容器のプライスラベルが見えないため、プライスラベルが貼られているか否かの確認は、コンテナから容器を一つずつ取り出して行わなければならず、積み重なった容器をコンテナから取り出しそのまま陳列することはできなかった。
【０００７】
加工食品品質表示をプライスラベルに一括表示した場合、ラベルの大きさによってはお客から求められている表示内容の記載が制限される場合もあり、一方、大きなラベルに一括表示し或いは複数のラベルに分割して表示したのでは、容器の天面を覆うラベルの面積が大きくなってしまい、包装された食品が見え難くなり、また、容器の見た目も悪くなってお客への訴求力を低下させることになりかねない。
【０００８】
本考案は、従来技術の有するこのような問題点に鑑み、天面以外の部位に種々の情報を表示したラベルが貼り付けられる部位を設けて食品包装容器を構成し、包装された食品とラベルに表示された情報をともに見やすくすることを課題とする。
【課題を解決するための手段】
【０００９】
前記課題を解決するため本考案は、底部の周囲に側壁を立ち上げて底部上を収納凹部としてなる食品包装容器において、側壁の上端から下方へ傾斜しつつ側方へ突出していて上面に情報表示ラベルなどの表示体を貼り付けることが可能な大きさの表示体貼り付け面部を有することを特徴とする。
【００１０】
この食品包装容器によれば、収納凹部に食品を収納し、収納凹部上方の開口面を覆うようにして容器全体をラップフィルムで包み、プライスラベルなどの表示体がラップフィルムの上から表示体貼り付け面部に重ねて貼り付けられる。表示体貼り付け面部は、側壁の上端から側方へ突出しているので、表示体を貼り付けても収納した食品が表示体で遮られるようなことはなく、また、下方へ傾斜しているので、容器を陳列棚に並べた状態で、お客の目線の位置から表示体の表示内容を確実且つはっきりと読み取ることが可能である。
なお、本願でいう表示体とは、表面に情報が表示され、販売時に容器表面に貼り付けて表示した情報をお客に通知する形態のものをいう。例えば食品の販売価格のみが表示された、或いは販売価格とともに加工食品品質表示が一括表示されたプライスラベル、加工食品品質表示のみが表示されたラベル、その他食品の調理方法や宣伝広告など種々の情報が表示されたラベルやシート、フィルムなどが含まれる。
【００１１】
また、本考案は、底部の周囲に側壁を立ち上げて底部上を収納凹部としてなる容器本体と、容器本体の上面に被さる透明な蓋体からなる食品包装容器において、容器本体の側壁外面に情報表示ラベルなどの表示体を貼り付けることが可能な大きさの表示体貼り付け面部を設けたことを特徴とする。
この食品包装容器によれば、容器本体の収納凹部に食品を収納し、蓋体を容器本体に取り付けて容器内部を密閉し、必要に応じて粘着テープで蓋体を容器本体に固定し或いはラップフィルムで容器全体を包み、容器本体の側壁外面に設けた表示体貼り付け面部に直接、又はラップフィルムの上から重ねて表示体を貼り付けて陳列棚に並べられ、販売に供される。
表示体貼り付け面部は側壁の外面に設けてあるので、表示体を貼り付けても収納した食品が遮られるようなことはなく、透明な蓋体の上方のどこからでも容器内の食品全体をはっきりと見ることが可能である。
【００１２】
容器本体と蓋体からなる前記構成の容器において、容器本体の側壁上端に下方へ傾斜しつつ側方へ張り出したフランジ状縁部を設け、フランジ状縁部の上面を表示体貼り付け面部とすることが好ましい。
側壁上端から下方へ傾斜したフランジ状縁部を表示体貼り付け面部とすれば、閉蓋した容器を陳列棚に並べた状態で、お客の目線の位置から表示体の表示内容を確実且つはっきりと読み取ることが可能である。
【００１３】
また、本考案は、底部の周囲に側壁を立ち上げて底部上を収納凹部とするとともに側壁上端に下方へ傾斜しつつ側方へ張り出したフランジ状縁部を設けてなる容器本体と、容器本体の上面に被さる透明な蓋体からなる食品包装容器において、容器本体に蓋体を被せたときに前記フランジ状縁部に重なる蓋体の外面に、情報表示ラベルなどの表示体を貼り付けることが可能な大きさの表示体貼り付け面部を設けたことを特徴とする。
この食品包装容器によれば、食品を収納した容器本体に蓋体を取り付け、蓋体の外面に設けた表示体貼り付け面部に直接、又はラップフィルムの上から重ねて表示体を貼り付けて陳列棚に並べられ、販売に供される。
表示体貼り付け面部は、容器本体のフランジ状縁部に重なる蓋体の外周面に設けてあるので、ここに表示体を貼り付けても、収納凹部に収納された食品が遮られるようなことはなく、食品全体をはっきりと見ることができ、また、表示体の表示内容も確実且つはっきりと読み取ることができる。
【００１４】
容器本体と蓋体は、ともに収納する食品の種類や容量などに応じて、適宜な大きさ及び形状のものに形成することができる。
容器本体の底部を平面視矩形に形成する場合、底部から立ち上げた四辺の側壁のうちの一辺の側壁にフランジ状縁部を設け、その上面又はこれに重なる蓋体の上面を表示体貼り付け面部とすることができる。
また、容器本体の側壁を、底部から立ち上げた内側壁と内側壁の上端で下方へ折れた外側壁とにより構成することができる。
さらに、容器本体への蓋体の取り付けは、容器本体に蓋体を被せることにより収納凹部の開口上面を閉鎖して容器内部が密閉される限り、適宜な取り付け形態とすることができる。容器本体の側壁上部に設けた係合部に蓋体の周縁が嵌合する内嵌合構造や、容器本体の側壁周縁部に設けた係合部に蓋体の周縁が嵌合する外嵌合構造として、両体が互いに嵌合して閉蓋状態が維持されるように構成してもよい。
【００１５】
なお、前記表示体貼り付け面部の大きさは、その上に貼り付ける表示体の寸法に応じて、少なくとも表示体の全体が貼り付けられる大きさに形成される。現状、プライスラベルとしては、高さ３０ｍｍ、幅６０ｍｍ程度の寸法で横長帯状に形成されたラベルが最も利用されていることから、少なくとも前記寸法で表示体貼り付け面部が形成してあれば、前記利用されている汎用のラベルが使用可能である。表示体貼り付け面部は、表示体の貼り付けが可能であれば平面状でも湾曲面状でもよく、表面に凹凸やリブを設けてもよい。
【００１６】
また、表示体貼り付け面部への表示体の貼り付けは、表示体貼り付け面部の上面に直に貼り付けても、また、表示体貼り付け面部がラップフィルムで覆われた状態で表示体貼り付け面部に重なるようにしてラップフィルムの上から貼り付けても何れでもよい。
【００１７】
食品包装容器は、例えばポリスチレン系樹脂、ポリプロピレン系樹脂、ポリエステル系樹脂などの熱可塑性樹脂の発泡シートを用い、これを加熱成形して形成することができるが、本考案の食品包装容器はこれに限定されず、任意の成形材料を用いて任意の成形方法により形成することができる。
【考案を実施するための最良の形態】
【００１８】
本考案の好適な実施形態を図面を参照して説明する。
図１は本考案の食品包装容器の第１実施形態を示している。
図示されるように、この食品包装容器１は、平面視矩形状の底部１１の周囲に側壁１２を上方へ立ち上げて側壁１２で囲われた底部１１上を収納凹部１３とし、側壁１２の上部周縁を鍔状に短く外方へ張り出すとともに、後側よりも低く設けた前側の側壁１２の上端に表示体貼り付け面部１４を設けて形成してある。
より詳しくは、表示体貼り付け面部１４は、前側の側壁１２の上端から斜め下方へ折れて前方へ適宜な幅で突出していて、その上面に、プライスラベルなどの表面に情報が表示されたラベル２を貼り付けることができる大きさに形成してある。
そして、同図（Ｃ）に示されるように、収納凹部１３内に食品を収納し、収納凹部１３上方の開口面を覆うようにして容器全体をラップフィルム３で包装した後、表示体貼り付け面部１４の上面に重ねてラップフィルム３の上からラベル２が貼り付けられた状態で陳列棚に並べられ、販売に供されるようになっている。
【００１９】
図２は食品包装容器の第２実施形態を示し、この食品包装容器１は、容器本体１Ａと、容器本体１Ａの上面に被さる透明な蓋体１Ｂにより構成されている。
容器本体１Ａは、平面視矩形状の底部１１の周囲に側壁１２を上方へ立ち上げるとともに、底部１１内を仕切壁１５で複数の区画に仕切り、側壁１２と仕切壁１５で囲われた底部１１上を収納凹部１３とし、側壁１２の上部周縁を鍔状に短く側方へ張り出し、さらに前側の側壁１２の上端に、斜め下方へ折れて前方へ突出した表示体貼り付け面部１４を設けて形成してある。表示体貼り付け面部１４はその横幅を前側の側壁１２の上縁全長に対して２／３程度の幅、その突出幅をラベル２を貼り付けることが可能な幅に設けてある。
蓋体１Ｂは、収納凹部１３の開口上面を覆う大きさを有する天面１６の周囲を下方へ折り曲げ、その周縁１７を側方へ張り出して形成し、容器本体１Ａの側壁１２の上面に周縁１７を載せて容器本体１Ａに取り付けられるように設けてある。
このような食品包装容器１によれば、容器本体１Ａの収納凹部１３に食品を収納し、蓋体１Ｂを容器本体１Ａに取り付けて容器本体内を密閉し、粘着テープで蓋体１Ｂを容器本体１Ａに固定し、さらに必要に応じてラップフィルムで容器全体を包み、容器本体１Ａの側壁１２に設けた表示体貼り付け面部１４に重なるようにラベル２を貼り付け、陳列棚に並べて販売に供される。
【００２０】
図３〜図５は食品包装容器の第３実施形態を示しており、前記形態と同様に、この食品包装容器１も、容器本体１Ａと、容器本体１Ａの上面に被さる透明な蓋体１Ｂにより構成されている。
容器本体１Ａは、平面視矩形状の底部１１の周囲に内側壁１２ａを上方へ立ち上げるとともに、底部１１内を仕切壁１５で複数の区画に仕切り、内側壁１２ａと仕切壁１５で囲われた底部１１上を収納凹部１３とし、内側壁１２ａの上部に蓋体１Ｂの周縁１７が内嵌合する係合部１８を設けるとともに、係合部１８の上縁から下方へ折れた外側壁１２ｂを連ねて形成してある。また、容器本体１Ａの四辺の外側壁１２ｂのうちの一辺を、内側壁１２ａの上端から斜め下方へ折れて側方へ張り出したフランジ状縁部１９とし、このフランジ状縁部１９の上面をラベル２を貼り付け可能な大きさの表示体貼り付け面部１４としてある。
蓋体１Ｂは、収納凹部１３の開口上面を覆う大きさを有する天面１６の周囲を下方へ折り曲げ、さらにその周縁１７を上方へ外折れさせて形成してあり、この周縁１７を容器本体１Ａに設けられた係合部１８に内嵌合させて容器本体１Ａに取り付けられるように設けてある。
このような食品包装容器１によれば、容器本体１Ａの収納凹部１３に食品を収納し、蓋体１Ｂを容器本体１Ａに取り付けて収納凹部１３を密閉し、必要に応じてラップフィルムで容器全体を包み、容器本体１Ａのフランジ状縁部１９の上面に設けた表示体貼り付け面部１４に重なるようにラベル２を貼り付け、陳列棚に並べて販売に供される。
【００２１】
図６に示す食品包装容器の第４実施形態は、前記第３実施形態の容器本体１Ａに被さる蓋体１Ｂの外面に表示体貼り付け面部１４を設けたものである。
すなわち、同図に示されるように、蓋体１Ｂは、前記容器本体１Ａの開口上面を覆う矩形状の天面１６の周囲三辺の周縁１７を外側壁１２ｂに被さるように下方へ直角に折り曲げ、一辺の周縁１７を前記フランジ状縁部１９に重なるように斜め下方へ張り出し、当該傾斜した縁部の外面を表示体貼り付け面部１４としたものである。
そして、この食品包装容器１は、同図（Ｂ）に示されるように、容器本体１Ａの収納凹部１３内に食品を収納し、蓋体１Ｂを容器本体１Ａに取り付けて収納凹部１３を密閉し、必要に応じて粘着テープで蓋体１Ｂを容器本体１Ａに固定し或いはラップフィルムで容器全体を包み、蓋体１Ｂの表示体貼り付け面部１４に重なるようにラベル２を貼り付け、陳列棚に並べて販売に供されるようになっている。
【００２２】
なお、図示した食品包装容器の形態は一例であり、本考案はこれらの形態に限定されず、食品の種類や容量などに応じて、他の適宜な形態に設けることができる。
【００２３】
以上の通り、本考案の食品包装容器によれば、容器の側壁外面又はこれに重なる透明な蓋体の外面に表示体貼り付け面部を設け、ここに販売価格や加工食品品質表示などの情報を表示したラベルその他の表示体を貼り付けるように構成してあるので、容器に収納し盛り付けた食品全体を容器の上方からはっきりと見ることができ、食品を購入せんとするお客への訴求力を高めることができる。
また、表示体の貼り付け部位を容器に一体に設けることにより、表示体の貼り付け位置が統一されて、お客に対する情報提供を確実に行うことができ、また、表示体貼り付け面部を下方へ傾斜させて設けることにより、容器を陳列棚に並べた状態で、お客の目線の位置から表示体の表示内容が確実且つはっきりと読み取れる。
さらに、容器の側方へ張り出した表示体貼り付け面部に表示体を貼り付けることにより、容器を多段に積み重ねた状態でも表示体の表示内容を見ることができるので、従来の如く容器天面に表示体が貼り付けられているか否かを個々の容器を手にとって一々確認しなくとも、容器が積み重なった状態でも表示体が貼り付けられているか否かの確認が可能であり、容器を多段に積まれたコンテナから陳列棚への容器の移し替え作業を効率的に行うことができる。
【図面の簡単な説明】
【００２４】
【図１】第１実施形態の食品包装容器の斜視図（Ａ）、中央縦断面図（Ｂ）及び包装完了状態の斜視図（Ｃ）である。
【図２】第２実施形態の食品包装容器の容器本体と蓋体を分離した斜視図（Ａ）と側面図（Ｂ）である。
【図３】第３実施形態の食品包装容器の容器本体と蓋体を分離した斜視図である。
【図４】第３実施形態の食品包装容器を閉蓋し、ラベルを貼り付けた状態の斜視図である。
【図５】図４に示した容器の縦断面図である。
【図６】第４実施形態の食品包装容器を閉蓋し、ラベルを貼り付けた状態の斜視図（Ａ）とその縦断面図（Ｂ）である。
【図７】食品を収納し販売に供する際の従来の食品包装容器の上面図である。
【符号の説明】
【００２５】
１  食品包装容器、１Ａ  容器本体、１Ｂ  蓋体、１１  底部、１２  側壁、１２ａ  内側壁、１２ｂ  外側壁、１３  収納凹部、１４  表示体貼り付け面部、１５  仕切壁、１６  天面、１７  周縁、１８  係合部、１９  フランジ状縁部、２  ラベル（表示体）、３  ラップフィルム
【図１】
0003130990.tif 000003
【図２】
0003130990.tif 000004
【図３】
0003130990.tif 000005
【図４】
0003130990.tif 000006
【図５】
0003130990.tif 000007
【図６】
0003130990.tif 000008
【図７】
0003130990.tif 000009